【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
アクセス端末であって、
通信インターフェースと、
記憶媒体と、
前記通信インターフェースと前記記憶媒体とに結合された処理回路と
を備え、前記処理回路は、
前記アクセス端末が現在動作しているネットワークがデータメッセージの受信と組み合わせたアクセス端末の登録をサポートすることを示す伝送を、前記通信インターフェースを介して受信することと、
１回または複数回の周期的な登録をスキップすることと、
送信用のデータメッセージを取得することと、
前記データメッセージと組み合わせて送られるべき、前記アクセス端末に関連する登録情報を取得することと、
前記データメッセージと前記登録情報とを備えるメッセージを、前記通信インターフェースを介して送ることと、
を行うように適合された、アクセス端末。
【請求項２】
前記登録情報とともに前記データメッセージを備える前記メッセージは一般拡張メッセージである、請求項１に記載のアクセス端末。
【請求項３】
前記データメッセージはデータバーストメッセージを備える、請求項１に記載のアクセス端末。
【請求項４】
前記処理回路は、
前記ネットワークがデータメッセージの受信と組み合わせたアクセス端末の登録をサポートすることの前記指示に応答して、前記データメッセージとともに送られるべき、前記アクセス端末に関連する前記登録情報を取得する
ように適合された、請求項１に記載のアクセス端末。
【請求項５】
アクセス端末上で動作可能な方法であって、
前記アクセス端末が動作しているネットワークがデータメッセージの受信と組み合わせたアクセス端末の登録をサポートすることを示す伝送を受信することと、
１回または複数回の周期的なアクセス端末の登録をバイパスすることと、
送信用のデータメッセージを取得することと、
前記データメッセージと組み合わせて送られるべき、前記アクセス端末に関連する登録情報を取得することと、
前記データメッセージと前記登録情報とを備えるメッセージを送ることと、
を備える、方法。
【請求項６】
送信用のデータメッセージを取得することは、
送信用のデータバーストメッセージを取得すること
を備える、請求項５に記載の方法。
【請求項７】
前記データメッセージと前記登録情報とを備える前記メッセージを送ることは、
前記データメッセージと前記登録情報とを備える一般拡張メッセージを送ることを備える、請求項５に記載の方法。
【請求項８】
前記アクセス端末が動作しているネットワークがデータメッセージの受信と組み合わせたアクセス端末の登録をサポートすることを示す前記伝送を受信することは、
前記データメッセージと前記登録情報とを備える前記メッセージを送る前に、前記アクセス端末が動作しているネットワークがデータメッセージの受信と組み合わせたアクセス端末の登録をサポートすることを示す前記伝送を受信すること、
を備える、請求項５に記載の方法。
【請求項９】
前記データメッセージと組み合わせて送られるべき、前記アクセス端末に関連する前記登録情報を取得することは、
前記ネットワークがデータメッセージの受信と組み合わせたアクセス端末の登録をサポートすることの前記指示に応答して、前記データメッセージと組み合わせて送られるべき、前記アクセス端末に関連する前記登録情報を取得すること、
を備える、請求項５に記載の方法。
【請求項１０】
アクセス端末であって、
前記アクセス端末が動作しているネットワークがデータメッセージの受信と組み合わせたアクセス端末の登録をサポートすることを示す伝送を受信するための手段と、
１回または複数回の周期的なアクセス端末の登録をバイパスするための手段と、
送信用のデータメッセージを取得するための手段と、
前記データメッセージと組み合わせて送られるべき、前記アクセス端末に関連する登録情報を取得するための手段と、
前記データメッセージと前記登録情報とを備えるメッセージを送るための手段と、
を備える、アクセス端末。
【請求項１１】
前記アクセス端末が動作しているネットワークがデータメッセージの受信と組み合わせたアクセス端末の登録をサポートすることを示す前記伝送は、前記データメッセージと前記登録情報とを備える前記メッセージを送る前に受信される、請求項１０に記載のアクセス端末。
【請求項１２】
前記データメッセージと組み合わせて送られるべき前記登録情報は、前記ネットワークがデータメッセージの受信と組み合わせたアクセス端末の登録をサポートすることの前記指示に応答して取得される、請求項１０に記載のアクセス端末。
【請求項１３】
アクセス端末が動作しているネットワークがデータメッセージの受信と組み合わせたアクセス端末の登録をサポートすることを示す伝送を受信することと、
１回または複数回の周期的な登録をスキップすることと、
送信用のデータメッセージを取得することと、
前記データメッセージと組み合わせて送られるべき、前記アクセス端末に関連する登録情報を取得することと、
前記データメッセージと前記登録情報とを備えるメッセージを送ることと、
のためのプログラミングを備える、非一時的なコンピュータ可読媒体。
【請求項１４】
前記データメッセージと組み合わせて送られるべき前記登録情報は、前記ネットワークがデータメッセージの受信と組み合わせたアクセス端末の登録をサポートすることの前記指示に応答して取得される、請求項１３に記載のコンピュータ可読媒体。
【請求項１５】
ネットワークノードであって、
通信インターフェースと、
記憶媒体と、
前記通信インターフェースと前記記憶媒体とに結合された処理回路と
を備え、前記処理回路は、
前記ネットワークノードがデータメッセージ伝送と組み合わせたアクセス端末の登録をサポートする指示を、前記通信インターフェースを介してブロードキャストすることと、
データメッセージとアクセス端末登録情報とを備えるメッセージを、１回または複数回の周期的な登録をスキップしたアクセス端末から前記通信インターフェースを介して受信することと、
前記受信されたメッセージに含まれる前記アクセス端末登録情報に基づいて、前記アクセス端末をネットワークに登録することと、
を行うように適合された、
ネットワークノード。
【請求項１６】
前記受信されたメッセージは一般拡張メッセージを備える、請求項１５に記載のネットワークノード。
【請求項１７】
前記受信されたメッセージに含まれる前記データメッセージはデータバーストメッセージを備える、請求項１５に記載のネットワークノード。
【請求項１８】
前記ネットワークノードがデータメッセージ伝送と組み合わせたアクセス端末の登録をサポートする前記指示は、システムパラメータメッセージ内にブロードキャストされるフィールドを備える、請求項１５に記載のネットワークノード。
【請求項１９】
前記処理回路は、
前記受信されたメッセージを受信する前に前記アクセス端末が前記ネットワークに登録されずに、前記受信されたメッセージに含まれる前記データメッセージを処理する
ようにさらに適合された、請求項１５に記載のネットワークノード。
【請求項２０】
ネットワークノード上で動作可能な方法であって、
前記ネットワークノードがデータメッセージの受信と組み合わせたアクセス端末の登録をサポートする指示を送信することと、
データメッセージとアクセス端末登録情報とを備えるメッセージを、１回または複数回の周期的な登録をスキップしたアクセス端末から受信することと、
前記受信されたメッセージに含まれる前記アクセス端末登録情報に基づいて、前記アクセス端末をネットワークに登録することと、
を備える、方法。
【請求項２１】
前記アクセス端末から前記メッセージを受信することは、
前記データメッセージと前記アクセス端末登録情報とを備える一般拡張メッセージを受信すること、
を備える、請求項２０に記載の方法。
【請求項２２】
前記データメッセージと前記アクセス端末登録情報とを備える前記メッセージを前記アクセス端末から受信することは、
データバーストメッセージと前記アクセス端末登録情報とを備える前記メッセージを前記アクセス端末から受信すること、
を備える、請求項２０に記載の方法。
【請求項２３】
前記ネットワークノードがデータメッセージの受信と組み合わせたアクセス端末の登録をサポートする前記指示を送信することは、
前記ネットワークノードがデータメッセージの受信と組み合わせたアクセス端末の登録をサポートすることを示すフィールドを備えるシステムパラメータメッセージを送信すること、
を備える、請求項２０に記載の方法。
【請求項２４】
前記受信されたメッセージを受信する前に前記アクセス端末が前記ネットワークに登録されずに、前記受信されたメッセージに含まれる前記データメッセージを処理すること、
をさらに備える、請求項２０に記載の方法。
【請求項２５】
ネットワークノードであって、
前記ネットワークノードがデータメッセージの受信と組み合わせたアクセス端末の登録をサポートする指示をブロードキャストするための手段と、
データメッセージとアクセス端末登録情報とを備えるメッセージを、１回または複数回の周期的な登録をスキップしたアクセス端末から受信するための手段と、
前記受信されたメッセージに含まれる前記アクセス端末登録情報に基づいて、前記アクセス端末をネットワークに登録するための手段と、
を備える、ネットワークノード。
【請求項２６】
前記受信されたメッセージは一般拡張メッセージを備える、請求項２５に記載のネットワークノード。
【請求項２７】
前記受信されたメッセージに含まれる前記データメッセージはデータバーストメッセージを備える、請求項２５に記載のネットワークノード。
【請求項２８】
前記ネットワークノードがデータメッセージの受信と組み合わせたアクセス端末の登録をサポートする前記指示は、システムパラメータメッセージ内でブロードキャストされるフィールドを備える、請求項２５に記載のネットワークノード。
【請求項２９】
前記受信されたメッセージを受信する前に前記アクセス端末が前記ネットワークに登録されずに、前記受信されたメッセージに含まれる前記データメッセージを処理するための手段、
をさらに備える、請求項２５に記載のネットワークノード。
【請求項３０】
ネットワークノードがデータメッセージの受信と組み合わせたアクセス端末の登録をサポートする指示を送信することと、
データメッセージとアクセス端末登録情報とを備えるメッセージを、１回または複数回の周期的な登録をスキップしたアクセス端末から受信することと、
前記受信されたメッセージに含まれる前記アクセス端末登録情報に基づいて、前記アクセス端末をネットワークに登録することと、
のためのプログラミングを備える、非一時的なコンピュータ可読媒体。
【請求項３１】
前記ネットワークノードがデータメッセージの受信と組み合わせたアクセス端末の登録をサポートする前記指示は、システムパラメータメッセージ内に含まれるフィールドを備える、請求項３０に記載のコンピュータ可読媒体。
【請求項３２】
前記受信されたメッセージを受信する前に前記アクセス端末が前記ネットワークに登録されずに、前記受信されたメッセージに含まれる前記データメッセージを処理する
ためのプログラミングをさらに備える、請求項３０に記載のコンピュータ可読媒体。